(57)【特許請求の範囲】
【請求項１】
基板の表面上に配設された、第２方向のメッシュ化導電性トレースに電気的に接続されるべき導電性メッシュ化ブリッジ構造を製造する方法であって、この基板上に第１方向のメッシュ化導電性トレースが配設される、方法であって、
前記第２方向のメッシュ化導電性トレースの中断部分に、第１ブリッジ・ワイヤおよび第２ブリッジ・ワイヤを形成し、かつ前記第１方向のメッシュ化導電性トレースの２つの側面にそれぞれ配列されるようにするステップと、
前記第１ブリッジ・ワイヤおよび前記第２ブリッジ・ワイヤの形成後に、前記第１方向のメッシュ化導電性トレース上に絶縁層を配置するステップと、
前記第１方向のメッシュ化導電性トレースに対して絶縁されるべく、導電性ブリッジを前記絶縁層上に配置し、かつ前記第１ブリッジ・ワイヤおよび前記第２ブリッジ・ワイヤに接続されるようにするステップと、
を備え、
前記導電性ブリッジが金属粉末層導電性ブリッジであり、前記絶縁層上に前記導電性ブリッジを配置するステップが、前記絶縁層上に金属粉末をインクジェット印刷することによって実行される、方法。
【請求項２】
基板の同じ表面に配列された、前記第１方向のメッシュ化導電性トレースおよび前記第２方向のメッシュ化導電性トレースの形成が、前記基板上に前記第１方向のメッシュ化導電性トレースおよび前記第２方向のメッシュ化導電性トレースを配置するステップを備え、前記第１方向のメッシュ化導電性トレースおよび前記第２方向のメッシュ化導電性トレースが互いに平行ではなく、前記第２方向のメッシュ化導電性トレースが、前記第１方向のメッシュ化導電性トレースとの交差部で遮断され、その結果、前記第２方向のメッシュ化導電性トレースが、前記第１方向のメッシュ化導電性トレースに接続されない、請求項１に記載の方法。
【請求項３】
前記基板上に同時に、前記第１ブリッジ・ワイヤと、前記第２ブリッジ・ワイヤと、前記第１方向のメッシュ化導電性トレースと、前記第２方向のメッシュ化導電性トレースとを配置するステップを含む、請求項２に記載の方法。
【請求項４】
前記絶縁層が透明な絶縁性塗料層であり、前記第１方向のメッシュ化導電性トレース上に前記絶縁層を配置するステップが、前記第１方向のメッシュ化導電性トレース上に透明な絶縁性塗料をインクジェット印刷することによって実行される、請求項１に記載の方法。
【発明の詳細な説明】
【技術分野】
【０００１】
本開示は、導電性メッシュにおけるブリッジ構造、およびブリッジ構造を製造するための方法に関する。
【背景技術】
【０００２】
容量性タッチ・スクリーンの導電性パターンは、導電性ワイヤから成る平行な導電性金属メッシュ化トレースの２つのグループを含む。従来、平行な金属メッシュ化トレースの一方のグループは、２次元座標におけるＸ軸に沿って配列されるのに対し、平行な金属メッシュ化トレースの他方のグループは、２次元座標におけるＹ軸に沿って配列される。金属メッシュ化トレースの２つのグループは、位置合わせにおいて一緒に接合された２つの異なる基板上に位置する。導電性構造がタッチ・スクリーンに応用される場合、タッチ・スクリーンは、厚みが大きいという欠点を有する。
【発明の概要】
【発明が解決しようとする課題】
【０００３】
タッチ・スクリーンの厚みが大きいという問題に取り組むため、本開示は、タッチ・スクリーンの厚みを低減するための、導電性メッシュにおけるブリッジ構造、およびブリッジ構造を製造するための方法に向けられている。
【課題を解決するための手段】
【０００４】
本開示の一態様によれば、導電性メッシュ化ブリッジ構造が提供され、これは、基板の表面上に配設された第２方向のメッシュ化導電性トレースに電気的につながるために構成され、第１方向のメッシュ化導電性トレースは基板の同じ表面上に配設され、第１方向のメッシュ化導電性トレースおよび第２方向のメッシュ化導電性トレースは互いに平行ではなく、第２方向のメッシュ化導電性トレースは、中断部分を形成するために、第１方向のメッシュ化導電性トレースとの交差部で遮断され、その結果、第２方向のメッシュ化導電性トレースは、第１方向のメッシュ化導電性トレースに接続されないが、
このブリッジ構造は、
第２方向のメッシュ化導電性トレースの中断部分に位置し、かつ第１方向のメッシュ化導電性トレースの２つの側面にそれぞれ位置する第１ブリッジ・ワイヤおよび第２ブリッジ・ワイヤと、
第１方向のメッシュ化導電性トレース上に配設された絶縁層と、
絶縁層上に配設され、第１方向のメッシュ化導電性トレースに対して絶縁され、かつ第１ブリッジ・ワイヤおよび第２ブリッジ・ワイヤに接続された導電性ブリッジと、
を含む。
【０００５】
一実施形態において、第１ブリッジ・ワイヤの幅および第２ブリッジ・ワイヤの幅は共に、１μｍから１０μｍまでの範囲にある。
【０００６】
一実施形態において、導電性ブリッジは金属粉末層導電性ブリッジであり、金属粉末層導電性ブリッジの幅は、１０μｍから２０μｍまでの範囲にある。
【０００７】
一実施形態において、絶縁層の上部表面は平滑な湾曲表面である。
一実施形態において、絶縁層は放物線状の絶縁層である。
【０００８】
一実施形態において、絶縁層は透明な絶縁性塗料層である。
本開示の一態様によれば、導電性メッシュ化ブリッジ構造を製造する方法が提供され、ブリッジ構造は、基板の表面上に配設された第２方向のメッシュ化導電性トレースに電気的につながるために構成され、この基板上には、第１方向のメッシュ化導電性トレースが配設され、その方法は、以下のステップである、
第２方向のメッシュ化導電性トレースの中断部分に、第１ブリッジ・ワイヤおよび第２ブリッジ・ワイヤを形成し、かつ第１方向のメッシュ化導電性トレースの２つの側面にそれぞれ配列されるようにするステップと、
第１方向のメッシュ化導電性トレース上に絶縁層を配置するステップと、
第１方向のメッシュ化導電性トレースに対して絶縁されるべく、導電性ブリッジを絶縁層上に配置し、かつ第１ブリッジ・ワイヤおよび第２ブリッジ・ワイヤに接続されるようにするステップと、
を含む。
【０００９】
一実施形態において、基板の同じ表面に配列された、第１方向のメッシュ化導電性トレースおよび第２方向のメッシュ化導電性トレースの形成は、以下のステップである、基板上に第１方向のメッシュ化導電性トレースおよび第２方向のメッシュ化導電性トレースを配置するステップであって、第１方向のメッシュ化導電性トレースおよび第２方向のメッシュ化導電性トレースは互いに平行ではなく、第２方向のメッシュ化導電性トレースは、第１方向のメッシュ化導電性トレースとの交差部で遮断され、その結果、第２方向のメッシュ化導電性トレースは、第１方向のメッシュ化導電性トレースに接続されない、ステップを備える。
【００１０】
一実施形態において、その方法は、第１ブリッジ・ワイヤと、第２ブリッジ・ワイヤと、第１方向のメッシュ化導電性トレースおよび第２方向のメッシュ化導電性トレースとを、基板上に同時に配置するステップを含む。
【００１１】
一実施形態において、導電性ブリッジは金属粉末層導電性ブリッジであり、第１方向のメッシュ化導電性トレースに対して絶縁されるべく絶縁層上に導電性ブリッジを配置するステップは、絶縁層上に金属粉末をインクジェット印刷することによって実行される。
【００１２】
一実施形態において、絶縁層は透明な絶縁性塗料層であり、第１メッシュ化導電性トレース上に絶縁層を配置するステップは、第１方向のメッシュ化導電性トレース上に、透明な絶縁性塗料をインクジェット印刷することによって実行される。
【００１３】
導電性メッシュ化ブリッジ構造および導電性メッシュ化ブリッジ構造を製造するための方法において、第１方向のメッシュ化導電性トレースおよび第２方向のメッシュ化導電性トレースは、同じ基板上に配設される。第１方向のメッシュ化導電性トレースが、交差点で第２方向のメッシュ化導電性トレースに接続されるのを防止するために、第２方向のメッシュ化導電性トレースは、第１方向のメッシュ化導電性トレースとの交差部で遮断され、その結果、第２方向のメッシュ化導電性トレースは、２つの中断されたメッシュ化導電性トレースに分割される。第１ブリッジ・ワイヤおよび第２ブリッジ・ワイヤは、第２方向のメッシュ化導電性トレース上に配設され、かつ第１ブリッジ・ワイヤは、導電性ブリッジによって第２ブリッジ・ワイヤに接続され、これによって、第１方向のメッシュ化導電性トレースの２つの側面に位置する、第２方向のメッシュ化導電性トレースの２つが接続される。そのうえ、導電性ブリッジは、絶縁層によって、第１方向のメッシュ化導電性トレースに対して絶縁される。第１方向のメッシュ化導電性トレースは、第２方向のメッシュ化導電性トレースに接続されず、その結果、第１方向のメッシュ化導電性トレースおよび第２方向のメッシュ化導電性トレースが同じ基板上に配設される、という目的が達成される。そのほかに、導電性ブリッジが、分離されたメッシュ化導電性トレースを接続するために直接用いられる場合、導電性ブリッジが、メッシュ化導電性トレースの間のブランク領域に接続される、というリスクは回避される。さらに、導電性メッシュ化ブリッジ構造がタッチ・スクリーンに応用される場合、タッチ・スクリーンの厚みおよびコストが低減され、かつ生産効率が改善される。
【図面の簡単な説明】
【００１４】
【図１】図１は、導電性メッシュ化ブリッジ構造の概略図である。
【図２】図２は、一実施形態による導電性メッシュ化ブリッジ構造の部分的拡大図である。
【図３】図３は、導電性メッシュ化ブリッジ構造を製造するための方法のフローチャートである。
【発明を実施するための形態】
【００１５】
実施形態の詳細な説明
さて、本発明の導電性メッシュ化ブリッジ構造、および導電性メッシュ化ブリッジ構造を製造するための方法の実施形態を詳細に説明するために、図面が参照される。
【００１６】
図１を参照すると、導電性メッシュ化ブリッジ構造１００が提供され、これは、第２方向のメッシュ化導電性トレース２２０に電気的につながるために構成され、第１方向のメッシュ化導電性トレース２１０は、基板表面の同じ表面上に配設される。導電性メッシュ化ブリッジ構造１００は、第１ブリッジ・ワイヤ１１０と、第２ブリッジ・ワイヤ１２０と、絶縁層１３０と、導電性ブリッジ１４０とを含む。
【００１７】
具体的には、基板は、ガラス、ポリエチレン・テレフタレート（ＰＥＴ）、ポリカーボネート（ＰＣ）またはポリメチルメタクリレート（ＰＭＭＡ）などのような透明材料から成る。
【００１８】
第１方向のメッシュ化導電性トレース２１０および第２方向のメッシュ化導電性トレース２２０は互いに平行ではなく、かつ第２方向のメッシュ化導電性トレース２２０は、中断部分を形成するために、第１方向のメッシュ化導電性トレース２１０との交差部で遮断され、すなわち、第２方向のメッシュ化導電性トレース２２０は、２つの中断されたメッシュ化導電性トレースに分割され、かつ第２方向のメッシュ化導電性トレース２２０は、第１方向のメッシュ化導電性トレース２１０に接続されない。第１方向のメッシュ化導電性トレース２１０および第２方向のメッシュ化導電性トレース２２０は、銀、銅、銀と銅またはニッケルなどの組成物から成ることができる。
【００１９】
例示された実施形態において、第１方向が鉛直方向であり、第２方向が水平方向である。代替的実施形態において、第１方向が水平方向であり、第２方向が鉛直方向であることも可能である。そのほか、第１方向と第２方向が互いに平行でない限りにおいて、第１方向が第２方向に対して垂直でないこともあり得る。
【００２０】
第１ブリッジ・ワイヤ１１０および第２ブリッジ・ワイヤ１２０は共に、第２方向のメッシュ化導電性トレース２２０の中断部分の対向端部に配設され、かつ第１ブリッジ・ワイヤ１１０および第２ブリッジ・ワイヤ１２０は、第１方向のメッシュ化導電性トレース２１０の２つの側面にそれぞれ配設され、すなわち、第１ブリッジ・ワイヤ１１０および第２ブリッジ・ワイヤ１２０は、第２方向のメッシュ化導電性トレース２２０の中断された部分の境界位置に配設される。メッシュ化導電性トレースは、金属ワイヤを継ぎ合せることによって形成され、金属ワイヤの幅は１μｍから５μｍまでの範囲であり、金属ライン間の距離は３００μｍから５００μｍまでの範囲である。仮に設計されたブリッジ・ワイヤの幅が大きすぎる場合（例えば１５０μｍから５００μｍまでにも）、明らかなブリッジ・ワイヤが基板上に形成されることもあり、これによって、タッチ・スクリーンの光学的性能に影響を及ぼす。したがって、第１ブリッジ・ワイヤ１１０および第２ブリッジ・ワイヤ１２０の幅は、通常、１μｍから１０μｍの範囲であり、これによって、第１ブリッジ・ワイヤ１１０および第２ブリッジ・ワイヤ１２０の幅が大きすぎ、その結果としてタッチ・スクリーンの光学的性能に影響を及ぼす、ということが回避される。
【００２１】
第１ブリッジ・ワイヤ１１０および第２ブリッジ・ワイヤ１２０の長さは共に、第２方向のメッシュ化導電性トレース２２０の中断された部分の断面長に等しいか、または、それは、実際の状況に応じて構成され得る。理解されるべきことであるが、第１ブリッジ・ワイヤ１１０および第２ブリッジ・ワイヤ１２０の長さは、金属トレース間の距離に対して数倍または数十倍もあり、したがって、導電性ブリッジ１４０が分離されたメッシュ化導電性トレース２２０に接続される場合、導電性ブリッジ１４０が、金属ラインにではなく、金属ライン間のブランク領域に接続される、というリスクが回避される。第１ブリッジ・ワイヤ１１０および第２ブリッジ・ワイヤ１２０は、銀、銅、銀と銅またはニッケルなどの組成物から成ることができる。
【００２２】
絶縁層１３０は、第１方向のメッシュ化導電性トレース２２０上に配設される。絶縁層１３０は、通常、第１ブリッジ・ワイヤ１１０と、第２ブリッジ・ワイヤ１２０と、第１ブリッジ・ワイヤ１１０および第２ブリッジ・ワイヤ１２０の端部とによって構成される領域上に配設され、かつ第１方向のメッシュ化導電性トレース２１０上に位置する。理解されるべきことであるが、それは、実際の状況に応じて、異なる方法で構成され得る。したがって、第１ブリッジ・ワイヤ１１０が、導電性ブリッジ１４０によって第２ブリッジ・ワイヤ１２０に接続される場合、導電性ブリッジ１４０は、第１方向のメッシュ化導電性トレース２１０に対して絶縁される。
【００２３】
図２を参照すると、絶縁層１３０の上部表面は、放物線状の絶縁層１３０のような平滑な遷移湾曲表面であることが可能であり、絶縁層１３０の表面と第１ブリッジ・ワイヤ１１０または第２ブリッジ・ワイヤ１２０との間の高さの違いによって引き起こされる、導電性ブリッジ１４０が切断されるという問題は、回避され得る。
【００２４】
例示された実施形態において、絶縁層１３０は透明な絶縁性塗料層であり、これによって、タッチ・スクリーンの光学的性能が影響されることを防止する。透明な絶縁性塗料層は、第１方向のメッシュ化導電性トレース２１０上に固着するために、インクジェット印刷によって形成されることが可能であり、これは簡単かつ便利である。代替的実施形態において、絶縁層１３０は不透明であり、その一方で、絶縁層１３０の幅は、タッチ・スクリーンの光学的性能が影響されることを防止するために、制限されるべきである。
【００２５】
導電性ブリッジ１４０は、第１方向のメッシュ化導電性トレース２１０に対して絶縁するために、絶縁層１３０上に配設され、かつ第１ブリッジ・ワイヤ１１０は、導電性ブリッジ１４０によって第２ブリッジ・ワイヤ１２０に接続される。
【００２６】
導電性ブリッジ１４０の幅は、１０μｍから２０μｍまでの範囲にあるように構成され得る。したがって、導電性ブリッジ１４０を第１ブリッジ・ワイヤ１１０および第２ブリッジ・ワイヤ１２０に接続することはより便利であるだけでなく、導電性ブリッジ１４０の幅が大きすぎることによって引き起こされる、タッチ・スクリーンの光学的性能に関する影響が回避されることも、また可能である。
【００２７】
導電性ブリッジ１４０は、ワイヤまたは金属粉末層であり得る。例示された実施形態において、導電性ブリッジ１４０は金属粉末層導電性ブリッジであり、かつ、それは、絶縁層１３０上に固着するために、インクジェット印刷によって形成されることも可能であり、これは簡単かつ便利である。その後、導電性ブリッジ１４０は、接続の速度および精度を改善するために、第１ブリッジ・ワイヤ１１０および第２ブリッジ・ワイヤ１２０に、レーザー位置合わせによって接続される。導電性ブリッジ１４０は、銀、銅、銀と銅またはニッケルなどの組成物から成ることができる。
【００２８】
導電性メッシュ化ブリッジ構造１００において、第１方向のメッシュ化導電性トレース２１０および第２方向のメッシュ化導電性トレース２２０は、同じ基板上に配設され、第２方向のメッシュ化導電性トレース２２０は、第１方向のメッシュ化導電性トレース２１０が交差点で第２方向のメッシュ化導電性トレース２２０に接続されるのを防止するために、第１方向のメッシュ化導電性トレース２１０との交差部で遮断され、かつ第２方向のメッシュ化導電性トレース２２０は、２つの中断されたメッシュ化導電性トレースに分割される。第１ブリッジ・ワイヤ１１０および第２ブリッジ・ワイヤ１２０は、第２方向のメッシュ化導電性トレース２２０上に配設され、かつ第１ブリッジ・ワイヤ１１０は、導電性ブリッジ１４０によって第２ブリッジ・ワイヤ１２０に接続され、これによって、第方向のメッシュ化導電性トレース２１０の２つの側面に位置する、第２方向のメッシュ化導電性トレース２２０の２つが接続される。そのうえ、導電性ブリッジ１４０は、絶縁層１３０によって第１方向のメッシュ化導電性トレース２１０に対して絶縁される。第１方向のメッシュ化導電性トレース２１０は、第２方向のメッシュ化導電性トレース２２０に接続されず、その結果、第１方向のメッシュ化導電性トレース２１０および第２方向のメッシュ化導電性トレース２２０が同じ基板上に配設される、という目的が達成される。そのほか、導電性ブリッジ１４０が、分離された第２方向のメッシュ化導電性トレース２２０につながるために直接用いられる場合、導電性ブリッジ１４０がメッシュ化導電性トレースの間のブランク領域に接続される、というリスクが回避される。さらに、導電性メッシュ化ブリッジ構造１００がタッチ・スクリーンに応用される場合、タッチ・スクリーンの厚みおよびコストが低減され、かつ生産効率が改善される。
【００２９】
図３を参照すると、同じ基板上に配設された第１方向のメッシュ化導電性トレース２１０と第２方向のメッシュ化導電性トレース２２０を接続するための、導電性メッシュ化ブリッジ構造１００を製造するための方法もまた提供され、これは以下のステップを含む。
【００３０】
ステップＳ１１０：第１ブリッジ・ワイヤ１１０および第２ブリッジ・ワイヤ１２０が、第２方向のメッシュ化導電性トレース２２０の中断部分の上に配置される。
【００３１】
第１ブリッジ・ワイヤ１１０および第２ブリッジ・ワイヤ１２０が、第２方向のメッシュ化導電性トレース２２０の中断部の境界位置に配置され、かつ第１方向のメッシュ化導電性トレース２１０の２つの側面にそれぞれ配設される。第１ブリッジ・ワイヤ１１０および第２ブリッジ・ワイヤ１２０は、銀、銅、銀と銅またはニッケルなどの組成物から成ることができる。
【００３２】
具体的には、第１ブリッジ・ワイヤ１１０および第２ブリッジ・ワイヤ１２０の長さは共に、第２方向のメッシュ化導電性トレース２２０の中断部の断面長に等しいように構成され得る。理解されるべきことであるが、それは、実際の状況に応じて構成され得る。理解されるべきことであるが、第１ブリッジ・ワイヤ１１０および第２ブリッジ・ワイヤ１２０の長さは、金属ライン間の距離に対して数倍または数十倍もあり、それゆえに、導電性ブリッジ１４０が、分離されたメッシュ化導電性トレース２２０に接続される場合、導電性ブリッジ１４０が、金属ラインではなく、金属ライン間のブランク領域に接続される、というリスクが回避される。
【００３３】
ステップＳ１２０：絶縁層１３０が、第１方向のメッシュ化導電性トレース２１０上に配置される。
【００３４】
絶縁層１３０を配置する原理は、次の通りである。導電性ブリッジ１４０が配置される場合、導電性ブリッジ１４０および第１方向のメッシュ化導電性トレース２１０が、第１ブリッジ・ワイヤ１１０および第２ブリッジ・ワイヤ１２０に対して絶縁されていることは都合が良い。したがって、絶縁層１３０は、通常、第１ブリッジ・ワイヤ１１０と、第２ブリッジ・ワイヤ１２０と、第１ブリッジ・ワイヤ１１０および第２ブリッジ・ワイヤ１２０の端部とによって構成される領域上に配設され、かつ第１方向のメッシュ化導電性トレース２１０上に位置する。絶縁層１３０は、放物線状の絶縁層１３０のような、平滑な遷移湾曲絶縁層１３０として構成されることができ、絶縁層１３０の表面と第１ブリッジ・ワイヤ１１０または第２ブリッジ・ワイヤ１２０との間の高さの違いによって引き起こされる、導電性ブリッジ１４０が切断される、という問題が回避され得る。
【００３５】
例示された実施形態において、絶縁層１３０は透明な絶縁性塗料層であり、これによって、タッチ・スクリーンの光学的性能が影響されることを防止する。透明な絶縁性塗料層は、第１方向のメッシュ化導電性トレース２１０上に固着するために、インクジェット印刷によって形成され得るが、これは簡単かつ便利である。代替的実施形態において、絶縁層１３０は不透明であることもあり、その一方で、絶縁層１３０の幅は、タッチ・スクリーンの光学的性能が影響されるのを防止するために、制限されるべきである。
【００３６】
ステップＳ１３０：導電性ブリッジが、絶縁層１３０上に配置される。
導電性ブリッジ１４０は、第１方向のメッシュ化導電性トレース２１０に対して絶縁される。第１ブリッジ・ワイヤ１１０は、導電性ブリッジ１４０によって、第２ブリッジ・ワイヤ１２０に接続される。導電性ブリッジ１４０は、銀、銅、銀と銅またはニッケルなどの組成物から成ることができる。導電性ブリッジ１４０は、ワイヤまたは金属粉末層であることができる。例示された実施形態において、導電性ブリッジ１４０は、金属粉末層導電性ブリッジであり、かつ、それはまた、絶縁層１３０上に固着するために、インクジェット印刷によって形成されるが、これは簡単かつ便利である。この時点で、導電性ブリッジ１４０は、接続の速度および精度を改善するために、第１ブリッジ・ワイヤ１１０および第２ブリッジ・ワイヤ１２０に、レーザー位置合わせによって接続されることができる。
【００３７】
上のステップでは、第１ブリッジ・ワイヤ１１０および第２ブリッジ・ワイヤ１２０の幅は、１μｍから１０μｍまでの範囲となるように構成され得る。導電性ブリッジ１４０の幅は、１０μｍから２０μｍまでの範囲となるように構成され得る。したがって、導電性ブリッジ１４０が第１ブリッジ・ワイヤ１１０および第２ブリッジ・ワイヤ１２０につながることは都合がよく、かつ第１ブリッジ・ワイヤ１１０、第２ブリッジ・ワイヤ１２０および導電性ブリッジの幅が大きすぎることによって引き起こされる、タッチ・スクリーンの光学的性能の影響が回避される。
【００３８】
同じ基板上に第１方向のメッシュ化導電性トレース２１０および第２方向のメッシュ化導電性トレース２２０を製造するステップは、第１方向のメッシュ化導電性トレース２１０および第２方向のメッシュ化導電性トレース２２０が基板上に配置される、ステップを含む。
【００３９】
基板は、ガラス、ポリエチレン・テレフタレート（ＰＥＴ）、ポリカーボネート（ＰＣ）、またはポリメチルメタクリレート（ＰＭＭＡ）などのような、透明材料から成る。
【００４０】
第１方向のメッシュ化導電性トレース２１０および第２方向のメッシュ化導電性トレース２２０は同じ基板上に配置され、第１方向のメッシュ化導電性トレース２１０および第２方向のメッシュ化導電性トレース２２０は互いに平行ではなく、第２方向のメッシュ化導電性トレース２２０は、第１方向のメッシュ化導電性トレース２１０との交差部で遮断され、これによって、第２方向のメッシュ化導電性トレース２２０は、第１方向のメッシュ化導電性トレース２１０に接続されない。
【００４１】
第１方向が鉛直方向であり、第２方向が水平方向である。代替的実施形態では、第１方向が水平方向であり、第２方向が鉛直方向であることが可能である。そのほか、第１方向と第２方向が互いに平行でない限りにおいて、第１方向が第２方向に対して垂直でないこともあり得る。第１方向のメッシュ化導電性トレース２１０および第２方向のメッシュ化導電性トレース２２０は、銀、銅、銀と銅またはニッケルなどの組成物から成ることができる。
【００４２】
実際の作業において、第１ブリッジ・ワイヤ１１０、第２ブリッジ・ワイヤ１２０、第１方向のメッシュ化導電性トレース２１０および第２方向のメッシュ化導電性トレース２２０は、同時に形成されることができ、すなわち、第１ブリッジ・ワイヤ１１０、第２ブリッジ・ワイヤ１２０、第１方向のメッシュ化導電性トレース２１０および第２方向のメッシュ化導電性トレース２２０は、基板上に同時に配置される。したがって、機械加工プロセスおよびコストが低減される。
【００４３】
第１方向のメッシュ化導電性トレース２１０および第２方向のメッシュ化導電性トレース２２０は、第１方向のメッシュ化導電性トレース２１０が、交差点において第２方向のメッシュ化導電性トレース２２０に接続されることを防止するために、同じ基板上に配置され、これによって、第２方向のメッシュ化導電性トレース２２０が、第１方向のメッシュ化導電性トレース２１０との交差部で遮断される場合、第２方向のメッシュ化導電性トレース２２０は、２つの中断されたメッシュ化導電性トレースに分割される。導電性メッシュ化ブリッジ構造１００を製造するための方法において、第１ブリッジ・ワイヤ１１０および第２ブリッジ・ワイヤ１２０は、第２方向のメッシュ化導電性トレース２２０上に配置され、かつ第１ブリッジ・ワイヤ１１０は、導電性ブリッジ１４０によって第２ブリッジ・ワイヤ１２０に接続され、これによって、第１方向のメッシュ化導電性トレース２１０の２つの側面に位置する、第２方向のメッシュ化導電性トレース２２０の２つが接続される。そのうえ、導電性ブリッジ１４０は、絶縁層１３０によって、第１方向のメッシュ化導電性トレース２１０に対して絶縁され、その結果、第１方向のメッシュ化導電性トレース２１０は、第２方向のメッシュ化導電性トレース２２０に接続されず、その結果、第１方向のメッシュ化導電性トレース２１０および第２方向のメッシュ化導電性トレース２２０を、基板の同じ表面上に配置する、という目的が達成される。そのほか、導電性ブリッジ１４０が、第２方向のメッシュ化導電性トレース２２０につながるために、直接用いられる場合、導電性ブリッジ１４０が、メッシュ化導電性トレースの間のブランク領域に接続される、というリスクが回避される。さらに、導電性メッシュ化ブリッジ構造１００がタッチ・スクリーンに応用される場合、タッチ・スクリーンの厚みおよびコストが低減され、かつ生産効率が改善される。
【００４４】
理解されるべきことであるが、実施例の記述は具体的かつ詳細であるが、しかし、これらの記述が、本開示を制限するために使用されることは可能ではない。それゆえに、開示特許の保護の範囲は、添付された請求項に従うべきである。
【図１】
0005934834.tif 000002
【図２】
0005934834.tif 000003
【図３】
0005934834.tif 000004